(57)【要約】【課題】プラント設備から収集するデータの保存期間を自動的に拡張できるプラント監視制御装置を得る。【解決手段】予め決められた保存期間で、プラント機器から収集したデータを格納するデータベース１ｅと、このデータベース１ｅの保存期間が過ぎたデータを格納するために増設された増設ディスク１ｆとを有し、データ処理部は、データベース１ｅに格納されたデータが保存期間を超過する前に、データベース１ｅに格納された古いデータを、データ格納部を介して増設ディスク１ｆに移動させるようにして、データの保存期間を拡張する。【選択図】図３
2015084131.tif 000002
【特許請求の範囲】
【請求項１】
プラント設備から収集したデータを格納し、上記プラント設備を監視制御するプラント監視制御装置であって、
予め決められた保存期間内の上記データが格納された第一の記憶装置、
上記保存期間が過ぎた上記第一の記憶装置のデータが格納された第二の記憶装置、
上記第一の記憶装置及び上記第二の記憶装置への上記データの格納を実行するとともに上記データの格納先を把握したデータ格納制御部、
及び上記第一の記憶装置に格納されたデータが上記保存期間を超過する前に、上記第一の記憶装置に格納されたデータのうちの上記保存期間が近づいたデータを、上記データ格納制御部を介して上記第二の記憶装置に移動させるデータ処理部を備えたことを特徴とするプラント監視制御装置。
【請求項２】
上記第一の記憶装置及び上記第二の記憶装置に格納されたデータを合わせて、シームレスなトレンドグラフとして画面表示する表示制御部を備えたことを特徴とする請求項１記載のプラント監視制御装置。
【請求項３】
上記プラント監視制御装置は二重系に構成され、一方のプラント監視制御装置の上記第二の記憶装置のデータが消失した場合に、他方のプラント監視制御装置の上記第二の記憶装置に格納されたデータを用いて、上記消失したデータを復元する復元手段を備えたことを特徴とする請求項１または請求項２記載のプラント監視制御装置。
【請求項４】
上記データ処理部は、上記第一の記憶装置の空き容量が少なくなった場合に、警告音及び警告メッセージのいずれか一方または両方を出力することを特徴とする請求項１〜請求項３のいずれか一項記載のプラント監視制御装置。
【請求項５】
上記第二の記憶装置に格納されたデータをリムーバブルメディアにバックアップするバックアップ手段を備えたことを特徴とする請求項１〜請求項４のいずれか一項記載のプラント監視制御装置。
【請求項６】
上記リムーバブルメディアにバックアップされたデータを、上記第二の記憶装置に復元するバックアップ復元手段を備えたことを特徴とする請求項５記載のプラント監視制御装置。
【発明の詳細な説明】
【技術分野】
【０００１】
この発明は、プラント設備から収集する帳票、トレンド、メッセージのデータ保存期間を拡張したプラント監視制御装置に関するものである。
【背景技術】
【０００２】
従来のプラント監視制御装置においては、プラント設備から収集した帳票、トレンド、メッセージを保存する期間が限られているため、保存期間を過ぎてもそのデータを参照したい場合は、ユーザが前もってＤＶＤ等のリムーバブルメディアにバックアップしておき、そのリムーバブルメディアから再生する必要があった。
特許文献１には、アクセス性能の高いメモリと低いメモリとにデータを格納し、アクセス性能の高いメモリには予めデータの保存期間を定義したものが記載されている。
【先行技術文献】
【特許文献】
【０００３】
【特許文献１】特開２００６−１３９５５２号公報（第８〜１０頁、第１図）
【発明の概要】
【発明が解決しようとする課題】
【０００４】
従来のプラント監視制御装置は、以上のように構成されており、ユーザは保存期間を過ぎるデータを月単位等で定期的にリムーバブルメディアへ保存する操作を繰り返していた。
また、データを参照する際、リムーバブルメディアのデータと、ディスクに保存されているデータとを同時に再生することができないといった監視運用上も弊害も発生していた。
また、特許文献１のものは、アクセス性能の高いメモリと低いメモリとに二重にデータを格納する必要があり、かつアクセス性能の高いメモリのデータの保存期間を自在に拡張するものではなかった。
【０００５】
この発明は、上述のような課題を解決するためになされたものであり、プラント設備から収集するデータの保存期間を自動的に拡張できるプラント監視制御装置を得ることを目的とする。
【課題を解決するための手段】
【０００６】
この発明に係わるプラント監視制御装置においては、プラント設備から収集したデータを格納し、プラント設備を監視制御するプラント監視制御装置であって、予め決められた保存期間内のデータが格納された第一の記憶装置、保存期間が過ぎた第一の記憶装置のデータが格納された第二の記憶装置、第一の記憶装置及び第二の記憶装置へのデータの格納を実行するとともにデータの格納先を把握したデータ格納制御部、及び第一の記憶装置に格納されたデータが保存期間を超過する前に、第一の記憶装置に格納されたデータのうちの保存期間が近づいたデータを、データ格納制御部を介して第二の記憶装置に移動させるデータ処理部を備えたものである。
【発明の効果】
【０００７】
この発明によれば、プラント設備から収集したデータを格納し、プラント設備を監視制御するプラント監視制御装置であって、予め決められた保存期間内のデータが格納された第一の記憶装置、保存期間が過ぎた第一の記憶装置のデータが格納された第二の記憶装置、第一の記憶装置及び第二の記憶装置へのデータの格納を実行するとともにデータの格納先を把握したデータ格納制御部、及び第一の記憶装置に格納されたデータが保存期間を超過する前に、第一の記憶装置に格納されたデータのうちの保存期間が近づいたデータを、データ格納制御部を介して第二の記憶装置に移動させるデータ処理部を備えたので、プラント設備から収集したデータの保存期間を自動的に拡張することができる。
【図面の簡単な説明】
【０００８】
【図１】この発明の実施の形態１によるプラント監視システムを示す構成図である。
【図２】この発明の実施の形態１によるプラント監視制御装置を示す構成図である。
【図３】この発明の実施の形態１によるプラント監視制御装置のデータ保存期間拡張機能を示す図である。
【図４】この発明の実施の形態１によるプラント監視制御装置のデータ保存期間拡張フローを示すフローチャートである。
【図５】この発明の実施の形態２によるプラント監視制御装置の保存したデータをシームレスに表示する機能を示す図である。
【図６】この発明の実施の形態２によるプラント監視制御装置の保存したデータをシームレスに表示する処理フローを示すフローチャートである。
【図７】この発明の実態の形態３によるプラント監視制御装置を示す構成図である。
【図８】この発明の実施の形態３によるプラント監視制御装置の増設ディスクのデータを二重系で相互に復元する処理フローを示すフローチャートである。
【図９】この発明の実態の形態４によるプラント監視制御装置のデータベースの保存容量が少なくなると警告を発する機能を示す図である。
【図１０】この発明の実施の形態４によるプラント監視制御装置のデータベースの保存容量が少なくなると警告を発する処理フローを示すフローチャートである。
【図１１】この発明の実態の形態５によるプラント監視制御装置の増設ディスクのデータ領域をリムーバブルメディアに容易にバックアップする機能を示す図である。
【図１２】この発明の実施の形態５によるプラント監視制御装置の増設ディスクのデータ領域をリムーバブルメディアに容易にバックアップする処理フローを示すフローチャートである。
【図１３】この発明の実態の形態６によるプラント監視制御装置のリムーバブルメディアから増設ディスクのデータ領域を容易に復元する機能を示す図である。
【図１４】この発明の実施の形態６によるプラント監視制御装置のリムーバブルメディアから増設ディスクのデータ領域を容易に復元する処理フローを示すフローチャートである。
【発明を実施するための形態】
【０００９】
実施の形態１．
以下、この発明の実施の形態１を図に基づいて説明する。
図１は、この発明の実施の形態１によるプラント監視システムを示す構成図である。
図１において、プラント監視システムは、次のように構成されている。
プラント監視制御装置１は、プラント機器４の状態を監視、制御し、さらにプラント機器４から収集した各種データを蓄積する。プラント情報処理装置３は、プラント機器４を制御、計測するもので、複数台設けられている。プラント機器４は、プラントを構成する機器であり、モータやポンプ、弁、計装機器などである。プラント制御バス１１は、プラント機器４とプラント監視制御装置１とを接続し、双方向で情報、制御指令の伝達を実現する。
【００１０】
図２は、この発明の実施の形態１によるプラント監視制御装置を示す構成図である。
図２において、１、３、４、１１は図１におけるものと同一のものである。図２はプラント監視制御装置１の内部構成を示している。
プラント監視制御装置１は、画面１ａへのプラント状態の表示を制御する表示制御部１ｂと、プラント機器４からの計測などのデータの処理や表示制御部１ｂからの指令を処理するデータ処理部１ｃと、プラント機器４から収集したデータを格納するデータ格納部１ｄ（データ格納制御部）とを有する。
【００１１】
図３は、この発明の実施の形態１によるプラント監視制御装置のデータ保存期間拡張機能を示す図である。
図３において、プラント監視制御装置１は、プラント機器から計測データ等を収集し、この収集したデータを格納するために、本来備えているディスクで、決められたデータ保存期間内のデータを保存するデータベース（ＤＢ）１ｅ（第一の記憶装置）と、データ保存期間を拡張するための増設ディスク（ＤＩＳＫ）１ｆ（第二の記憶装置）を有する。
【００１２】
次に、実施の形態１のデータ保存期間拡張機能について、図３を参照し、図４にしたがって説明する。
図４で、限られたデータ保存期間内のプラント機器４からの収集したデータを格納するデータベース１ｅを有するプラント監視制御装置１は、格納したデータが限られたデータ保存期間を超過する前に増設ディスク１ｆを追加する（Ｓｔｅｐ１）。
プラント監視制御装置１のデータ処理部１ｃは、追加された増設ディスク１ｆの空き容量、健全性の情報を取得する（Ｓｔｅｐ２）。データ処理部１ｃは、データベース１ｅの古いデータから順番に、増設ディスク１ｆの空き容量に応じて、増設ディスク１ｆへデータを移動させる（Ｓｔｅｐ３）。
これにより、プラント監視制御装置１では、本来備えていたデータベース１ｅに空きが生じるため、データ処理部１ｃは、データベース１ｅに引き続き最新のデータを蓄積する（Ｓｔｅｐ４）。
なお、上述のデータ処理部１ｃによるデータの移動、蓄積は、データ格納部１ｄを経由して行われ、データ格納部１ｄに、データの保存先を把握させるようになっている。
【００１３】
実施の形態１によれば、本来有限であるデータ保存期間を、プラント監視制御装置にディスクを増設することにより、プラント設備から収集した帳票、トレンド、メッセージのデータ保存期間を容易に拡張することができる。
これにより、ユーザは予め膨大なディスク領域を用意しなくても、従来のような定期的なリムーバブルメディアへの保存操作から開放され、プラント監視効率の向上を図ることができる。
【００１４】
実施の形態２．
図５は、この発明の実施の形態２によるプラント監視制御装置の保存したデータをシームレスに表示する機能を示す図である。
図５において、１、１ｅ、１ｆは図３におけるものと同一のものである。図５では、データベース１ｅと、増設ディスク１ｆのデータを用いて、トレンドグラフ画面２１を表示している。
【００１５】
実施の形態１では、プラント監視制御装置にディスクを増設することにより、データの保存期間を拡張する機能について述べたが、実施の形態２は、その拡張したデータをプラント監視制御装置１で再生（表示）する際に、オペレータはデータの保存先を意識することなく再生する機能についてのものである。
【００１６】
次に、保存したデータの保存先を意識することなく、保存したデータをシームレスに再生（表示）する機能について、図５を参照し、図６にしたがって説明する。
図６で、増設ディスク１ｆを追加し、データ保存期間を拡張（Ｓｔｅｐ１１）した状態で、図５のトレンドグラフ画面２１を表示する（Ｓｔｅｐ１２）。
表示制御部１ｂは、オペレータのトレンドグラフ画面２１の表示操作により、画面に表示する期間を取得する（Ｓｔｅｐ１３）。データ処理部１ｃは、トレンドグラフ画面２１に表示する期間をデータ格納部１ｄに提供する（Ｓｔｅｐ１４）。
データの保存先を把握しているデータ格納部１ｄは、その期間のデータをデータベース１ｅ、及び増設ディスク１ｆから取得し（Ｓｔｅｐ１５）、データ処理部１ｃを経由して表示制御部１ｂに表示データを渡すと、表示制御部１ｂは、データをシームレスに再生する（Ｓｔｅｐ１６）。
【００１７】
実施の形態２によれば、データの格納先を意識することなく、シームレスに再生することができる。
また、従来では、保存期間の過ぎたデータは予めＤＶＤ等のリムーバブルメディアに保存し、再生するときは保存先のデータベース、またはリムーバブルメディアを個別に指定して、指定したデータ単独で再生していたが、実施の形態２では、データの保存先をデータ格納部が把握することにより、再生に当たって、オペレータがデータの保存先を意識する必要が無くなる。
【００１８】
実施の形態３．
図７は、この発明の実態の形態３によるプラント監視制御装置を示す構成図である。
図７において、１、１ａ〜１ｄ、３、４、１１は図２におけるものと同一のものである。図７では、プラント監視制御装置は二重系に形成され、プラント監視制御装置２は、プラント監視制御装置１と同様の構成で、１ａ〜１ｄに対応する２ａ〜２ｄを有している。
【００１９】
実施の形態１では、データの保存期間を超過する前にディスクを増設し、データ保存期間を拡張する機能について述べたが、実施の形態３は、プラント監視制御装置が二重系の場合、一方の増設ディスクを故障等により交換して増設ディスクの内容（データ）が消滅しても、他方の増設ディスクから自動的にデータを復元する機能（復元手段）についてのものである。
【００２０】
次に、二重系のプラント監視制御装置で増設ディスクの内容を相互に復元し合う機能について、図７を参照し、図８にしたがって説明する。
図８で、二重系のプラント監視制御装置両系で、増設ディスクを追加し、一定期間運用した後（Ｓｔｅｐ２１）、プラント監視制御装置１の増設ディスクを故障、または予防保全等の理由により交換する（Ｓｔｅｐ２２）。
この状態では、交換した増設ディスクのデータが存在しないため、交換した側のプラント監視制御装置１のデータ格納部１ｄが増設ディスクにデータが存在しないことを、プラント監視制御装置１のデータ処理部１ｃに伝え、データ処理部１ｃから二重系の相手装置であるプラント監視制御装置２のデータ処理部２ｃに通知する（Ｓｔｅｐ２３）。
【００２１】
プラント監視制御装置２のデータ処理部２ｃは、データ格納部２ｄへデータ要求を行い（Ｓｔｅｐ２４）、取得したデータをプラント監視制御装置１のデータ処理部１ｃを経由して、データ格納部１ｄへ送信し（Ｓｔｅｐ２５）、データ格納部１ｄは、データを増設ディスクに格納する（Ｓｔｅｐ２６）。
このようにして、存在しない増設ディスクのデータを復元する。
実施の形態３は、実施の形態１、２での機能において、より信頼性を高めて使用するための機能である。
【００２２】
実施の形態３によれば、二重系の一方のプラント監視制御装置の増設ディスクのデータが存在しない場合にも、他方のプラント監視制御装置の増設ディスクからデータを取得するので、存在しない増設ディスクのデータを復元することができる。
【００２３】
実施の形態４．
図９は、この発明の実態の形態４によるプラント監視制御装置のデータベースの保存容量が少なくなると警告を発する機能を示す図である。
図９において、１、１ｅ、１ｆは図３におけるものと同一のものである。図９では、監視画面３１に、データベース１ｅの空き容量が少なくなったことを知らせるメッセージを表示するようになっている。
【００２４】
実施の形態４は、データベース１ｅの保存容量が少なくなると、自動的に警告音及び警告メッセージのいずれか一方または両方を発して、オペレータにディスクの増設を促す機能についてのものである。
次に、データベース１ｅの保存容量が少なくなると、自動的に警告音、警告メッセージを発して、オペレータにディスクの増設を促す機能について、図９を参照し、図１０にしたがって説明する。
【００２５】
図１０で、プラント監視制御装置１のデータ格納部１ｄは、定周期でデータベース１ｅの空き容量をチェック（Ｓｔｅｐ３１）し、空き容量が閾値以下になると、データ処理部１ｃに通知（Ｓｔｅｐ３２）する。
データ処理部１ｃは、表示制御部１ｂに警告メッセージ表示を通知（Ｓｔｅｐ３３）する。次いで、データ処理部１ｃは警告音を発し、表示制御部１ｂは警告メッセージを表示（Ｓｔｅｐ３４）し、オペレータに増設ディスク１ｆの追加を促す。
実施の形態４は、オペレータにディスク増設を促し、増設漏れを防止するための機能である。
【００２６】
実施の形態４によれば、データベースの空き容量が閾値以下になると警告音、警報メッセージを出力するので、オペレータは直ちに知ることができ、増設ディスクを追加することができる。
【００２７】
実施の形態５．
図１１は、この発明の実態の形態５によるプラント監視制御装置の増設ディスクのデータ領域をリムーバブルメディアに容易にバックアップする機能を示す図である。
図１１において、１、１ｅ、１ｆ、３１は図９におけるものと同一のものである。図１１では、プラント監視制御装置１は、増設ディスク１ｆのデータ領域をＤＶＤ等のリムーバブルメディア１ｇにバックアップするようになっている。
これに伴い、監視画面３１には、このバックアップを実行させるための保存ボタン４１を設けるとともに、保存するデータ種類とデータ保存期間をオペレータに指定させる保存データ入力ウィンドウ４２を表示する。
【００２８】
実施の形態５は、増設ディスク１ｆのデータ領域をＤＶＤ等のリムーバブルメディア１ｇに容易にバックアップする機能（バックアップ手段）についてのものである。
次に、増設ディスク１ｆのデータ領域をＤＶＤ等のリムーバブルメディア１ｇに容易にバックアップする機能について、図１１を参照し、図１２にしたがって説明する。
図１２で、増設ディスク１ｆを追加し、データ保存期間を拡張（Ｓｔｅｐ４１）した状態で、図１１のプラント監視制御装置１の監視画面３１において、オペレータはリムーバブルメディア１ｇにデータを保存させるための保存ボタン４１をクリックする（Ｓｔｅｐ４２）。
【００２９】
次に、表示制御部１ｂは、図１１に示す保存データ入力ウィンドウ４２を表示し（Ｓｔｅｐ４３）、オペレータは保存するデータ（帳票、トレンド、メッセージ）種別、保存期間を指定する（Ｓｔｅｐ４４）。
表示制御部１ｂは、指定されたデータ種別、保存期間をデータ処理部１ｃを経由してデータ格納部１ｄに要求する（Ｓｔｅｐ４５）。データ格納部１ｄは、その期間のデータをデータベース１ｅ及び増設ディスク１ｆから取得し、データ処理部１ｃに取得したデータを渡す（Ｓｔｅｐ４６）。
データ処理部１ｃは、そのデータをＤＶＤ等のリムーバブルメディア１ｇに保存する（Ｓｔｅｐ４７）。
このようにして、データベース１ｅ及び増設ディスク１ｆのデータ領域をＤＶＤ等のリムーバブルメディアに保存する。
【００３０】
実施の形態５によれば、プラント監視制御装置のデータベース及び増設ディスクのデータ領域を、ＤＶＤ等のリムーバブルメディアに容易にバックアップすることができる。
【００３１】
実施の形態６．
図１３は、この発明の実態の形態６によるプラント監視制御装置のリムーバブルメディアから増設ディスクのデータ領域を容易に復元する機能を示す図である。
図１３において、１、１ｅ、１ｆ、１ｇ、３１は図１１におけるものと同一のものである。図１３では、監視画面３１に、リムーバブルメディア１ｇのデータを増設ディスク１ｆに復元するための復元ボタン４３を設けるとともに、復元するデータ種別及び復元期間を入力するための復元データ入力ウィンドウ４４を表示する。
【００３２】
実施の形態６は、増設ディスク１ｆを故障等により交換した場合に、予めバックアップしておいたリムーバブルメディア１ｇを使用することにより、増設ディスク１ｆのデータ領域を復元する機能（バックアップ復元手段）についてのものである。
次に、増設ディスク１ｆを故障等により交換した場合に、予めバックアップしておいたリムーバブルメディア１ｇを使用して増設ディスク１ｆのデータ領域を容易に復元する機能について、図１３を参照し、図１４にしたがって説明する。
【００３３】
図１４で、増設ディスク１ｆを追加し、データ保存期間を拡張（Ｓｔｅｐ５１）し、増設ディスク１ｆのデータ領域をＤＶＤ等のリムーバブルメディア１ｇにバックアップする（Ｓｔｅｐ５２）。
その後、図１３のプラント監視制御装置１の増設ディスク１ｆを故障、予防保全等の理由により、別のディスクに交換（Ｓｔｅｐ５３）した場合に、プラント監視制御装置１の監視画面３１で、オペレータはデータを復元させるための復元ボタン４３をクリックする（Ｓｔｅｐ５４）。
【００３４】
表示制御部１ｂは、図１３に示す復元データ入力ウィンドウ４４を表示し（Ｓｔｅｐ５５）、オペレータは復元するデータ（帳票、トレンド、メッセージ）種別、復元期間を指定する（Ｓｔｅｐ５６）。
表示制御部１ｂは、指定されたデータ種別、復元期間をデータ処理部１ｃに要求する（Ｓｔｅｐ５７）。データ処理部１ｃは、その期間のデータをリムーバブルメディア１ｇから取得し、データ格納部１ｄに取得したデータを渡す（Ｓｔｅｐ５８）。データ格納部１ｄは、そのデータを増設ディスク１ｆに保存する（Ｓｔｅｐ５９）。
このようにして、ＤＶＤ等のリムーバブルメディア１ｇから増設ディスク１ｆのデータ領域を復元する。
【００３５】
実施の形態６によれば、増設ディスクを故障等により交換しても、予めバックアップしておいたリムーバブルメディアを使用することにより、増設ディスクのデータ領域を容易に復元することができる。
【００３６】
なお、本発明は、その発明の範囲内において、各実施の形態を自由に組み合わせたり、各実施の形態を適宜、変形、省略することが可能である。
【符号の説明】
【００３７】
１  プラント監視制御装置、１ａ  画面、１ｂ  表示制御部、１ｃ  データ処理部、
１ｄ  データ格納部、１ｅ  データベース、１ｆ  増設ディスク、
１ｇ  リムーバブルメディア、２  プラント監視制御装置、２ａ  画面、
２ｂ  表示制御部、２ｃ  データ処理部、２ｄ  データ格納部、
３  プラント情報処理装置、４  プラント機器、１１  プラント制御バス、
２１  トレンドグラフ画面、３１  監視画面、４１  保存ボタン、
４２  保存データ入力ウィンドウ、４３  復元ボタン、４４  復元データ入力ウィンドウ。
【図１】
2015084131.tif 000003
【図２】
2015084131.tif 000004
【図３】
2015084131.tif 000005
【図４】
2015084131.tif 000006
【図５】
2015084131.tif 000007
【図６】
2015084131.tif 000008
【図７】
2015084131.tif 000009
【図８】
2015084131.tif 000010
【図９】
2015084131.tif 000011
【図１０】
2015084131.tif 000012
【図１１】
2015084131.tif 000013
【図１２】
2015084131.tif 000014
【図１３】
2015084131.tif 000015
【図１４】
2015084131.tif 000016